(57)【要約】【課題】測定作業の効率を向上し得る測定装置を提供する。【解決手段】本体部２と、本体部２が載置面に対して所定の角度で傾斜するように本体部２を支持するスタンド４とを備え、本体部２の上下方向（傾斜状態の本体部２における上部側の位置と下部側の位置との間の方向）に沿ってスライド可能に本体部２の背面１４側に配設されたスライド部３を備え、スタンド４は、スライド部３に対して回動可能に連結されると共にスライド部３に対して対向しつつ傾斜した状態を維持可能に構成されている。【選択図】図１１
2007121184.tif 000002
【特許請求の範囲】
【請求項１】
本体部と、当該本体部が載置面に対して所定の角度で傾斜するように当該本体部を支持する支持部とを備えた電子機器であって、
前記本体部の上下方向に沿ってスライド可能に当該本体部の背面側に配設されたスライド部を備え、
前記支持部は、前記スライド部に対して回動可能に連結されると共に前記スライド部に対して対向しつつ傾斜した状態を維持可能に構成されている電子機器。
【請求項２】
前記本体部は、前記背面に配設された突起部を備え、
前記スライド部は、前記本体部に配設された状態における当該本体部の前記上下方向に沿って形成されると共に前記突起部の挿入が可能なスリットを備えている請求項１記載の電子機器。
【請求項３】
前記スライド部は、前記本体部に配設された状態において当該本体部の前記上下方向における上部側に位置する一端部において当該スライド部と一体形成された軸受け部を備え、
前記支持部は、前記軸受け部に対向する一端部において当該支持部と一体形成されると共に前記軸受け部に回動可能に挿入される軸部を備え、前記軸受け部に前記軸部が挿入されることによって前記スライド部に連結される請求項１または２記載の電子機器。
【請求項４】
前記本体部は、前記背面側において前記上下方向で互いに離間した複数の位置にそれぞれ形成された複数の第１嵌合部を備え、
前記スライド部は、前記各第１嵌合部に嵌合可能に形成された第２嵌合部を備えると共に、前記複数の位置において前記第１および第２嵌合部が互いに嵌合して当該各位置においてスライドが規制される請求項１から３のいずれかに記載の電子機器。
【請求項５】
前記本体部は、前記スライドが規制される各位置にそれぞれ対応する所定の位置に形成された孔または凹部を備え、
前記支持部は、前記孔または凹部に挿入可能に形成された凸部を備え、前記スライドが規制される各位置において前記孔または凹部に前記凸部が挿入されることによって前記傾斜した状態を維持する請求項４記載の電子機器。
【請求項６】
前記スライド部と前記支持部とが互いに対向した状態において当該スライド部に対して回動不可状態に当該支持部をロックするロック部を備え、
前記ロック部は、前記支持部のロック状態において前記スライド部が前記上下方向における下方向にスライドさせられたときに当該支持部のロックを解除する請求項１から５のいずれかに記載の電子機器。
【請求項７】
測定装置として構成されている請求項１から６のいずれかに記載の電子機器。
【発明の詳細な説明】
【技術分野】
【０００１】
本発明は、本体部が載置面に対して所定の角度で傾斜するように本体部を支持する支持部を備えた電子機器に関するものである。
【背景技術】
【０００２】
この種の電子機器として、特開平９−３３６７９号公報に開示された携帯用試験器具（器具）が知られている。この携帯用試験器具は、スタンドとして機能するベイルを備えて構成されている。この場合、この携帯用試験器具では、ベイルが携帯用試験器具に対して予め定められた所定の角度（開脚角度）で開くように構成されている。
【特許文献１】特開平９−３３６７９号公報（第３頁、第１図）
【発明の開示】
【発明が解決しようとする課題】
【０００３】
ところが、上記の携帯用試験器具には以下の問題点が存在する。すなわち、この器具では、ベイルの開脚角度が予め定められた１つだけに限定されている。この場合、この種の携帯用試験器具は様々な測定環境下で使用されるため、測定環境に応じて携帯用試験器具の傾斜角度を変更することで画面を見易くしたり、操作をし易くして作業効率を向上させることができるのが好ましい。しかしながら、この携帯用試験器具では、ベイルの開脚角度が１つだけに限定されているため、携帯用試験器具を載置した際の載置面に対する傾斜角度も１つだけに限定される結果、作業効率の向上が困難であるという問題点が存在する。
【０００４】
本発明は、かかる問題点に鑑みてなされたものであり、測定作業の効率を向上し得る電子機器を提供することを主目的とする。
【課題を解決するための手段】
【０００５】
上記目的を達成すべく請求項１記載の電子機器は、本体部と、当該本体部が載置面に対して所定の角度で傾斜するように当該本体部を支持する支持部とを備えた電子機器であって、前記本体部の上下方向に沿ってスライド可能に当該本体部の背面側に配設されたスライド部を備え、前記支持部は、前記スライド部に対して回動可能に連結されると共に前記スライド部に対して対向しつつ傾斜した状態を維持可能に構成されている。
【０００６】
また、請求項２記載の電子機器は、請求項１記載の電子機器において、前記本体部は、前記背面に配設された突起部を備え、前記スライド部は、前記本体部に配設された状態における当該本体部の前記上下方向に沿って形成されると共に前記突起部の挿入が可能なスリットを備えている。
【０００７】
また、請求項３記載の電子機器は、請求項１または２記載の電子機器において、前記スライド部は、前記本体部に配設された状態において当該本体部の前記上下方向における上部側に位置する一端部において当該スライド部と一体形成された軸受け部を備え、前記支持部は、前記軸受け部に対向する一端部において当該支持部と一体形成されると共に前記軸受け部に回動可能に挿入される軸部を備え、前記軸受け部に前記軸部が挿入されることによって前記スライド部に連結される。
【０００８】
また、請求項４記載の電子機器は、請求項１から３のいずれかに記載の電子機器において、前記本体部は、前記背面側において前記上下方向で互いに離間した複数の位置にそれぞれ形成された複数の第１嵌合部を備え、前記スライド部は、前記各第１嵌合部に嵌合可能に形成された第２嵌合部を備えると共に、前記複数の位置において前記第１および第２嵌合部が互いに嵌合して当該各位置においてスライドが規制される。
【０００９】
また、請求項５記載の電子機器は、請求項４記載の電子機器において、前記本体部は、前記スライドが規制される各位置にそれぞれ対応する所定の位置に形成された孔または凹部を備え、前記支持部は、前記孔または凹部に挿入可能に形成された凸部を備え、前記スライドが規制される各位置において前記孔または凹部に前記凸部が挿入されることによって前記傾斜した状態を維持する。
【００１０】
また、請求項６記載の電子機器は、請求項１から５のいずれかに記載の電子機器において、前記スライド部と前記支持部とが互いに対向した状態において当該スライド部に対して回動不可状態に当該支持部をロックするロック部を備え、前記ロック部は、前記支持部のロック状態において前記スライド部が前記上下方向における下方向にスライドさせられたときに当該支持部のロックを解除する。
【００１１】
また、請求項７記載の電子機器は、請求項１から６のいずれかに記載の電子機器において、測定装置として構成されている。
【発明の効果】
【００１２】
請求項１，７記載の電子機器によれば、本体部の上下方向に沿ってスライド可能に本体部の背面側に配設されたスライド部に支持部を回動可能に連結すると共に、スライド部に対して対向しつつ傾斜した状態を維持可能に支持部を構成したことにより、載置面に対する傾斜角度が１つだけに限定される従来の携帯用試験器具とは異なり、本体部の上下方向にスライド部をスライドさせて、異なる位置で支持部をスライド部に対して傾斜させることで、載置面に対する本体部の傾斜角度を複数の傾斜角度に切り替えることができる。したがって、この電子機器によれば、測定環境に応じて本体部の傾斜角度を変更することで画面を見易くしたり、操作をし易くしたりすることができるため、測定作業の効率を十分に向上させることができる。また、スライド部をスライドさせることで傾斜角度を複数の傾斜角度に切り替えることができるため、スライド部を備えていない構成と比較して、支持部を短く形成したとしても、本体部を載置面に対して大きな傾斜角度で傾斜させることができる。
【００１３】
また、請求項２記載の電子機器によれば、本体部の背面に突起部を配設すると共に、突起部の挿入が可能なスリットを本体部の上下方向に沿ってスライド部に形成したことにより、本体部からスライド部を外れさせることなく、本体部の背面側でその上下方向に沿ってスライド部を確実かつスムーズにスライドさせることができる。
【００１４】
また、請求項３記載の電子機器によれば、スライド部の一端部において軸受け部をスライド部に一体形成すると共に、軸受け部に回動可能に挿入される軸部を支持部の一端部において支持部に一体形成して、軸受け部に軸部を挿入することによって支持部をスライド部に連結したことにより、簡易な構成でありながら軸部を中心として支持部をスムーズに回動させることができる。また、例えば、別体に形成した軸受けや軸部をインサート成形する構成と比較して、スライド部および支持部を容易に作製することができる。
【００１５】
また、請求項４記載の電子機器によれば、本体部の背面側に複数の第１嵌合部を形成すると共に、スライド部に第２嵌合部を形成したことにより、第１嵌合部に第２嵌合部を嵌合させることで、本体部の上下方向における複数の位置においてスライド部のスライドを確実に規制することができる。
【００１６】
また、請求項５記載の電子機器によれば、本体部に孔または凹部を形成すると共に、その孔または凹部に挿入可能な凸部を支持部の上端部に形成したことにより、孔または凹部に凸部を挿入させることで、支持部をスライド部に対して所定の角度で傾斜した状態に確実に維持することができる。このため、載置面に対して傾斜するように本体部を支持部で確実に支持することができる。
【００１７】
また、請求項６記載の電子機器によれば、スライド部に対して支持部を回動不可状態にロックするロック部を備えたことにより、支持部をスライド部側に折り畳んだ（両者を互いに対向させた）状態において支持部を回動不可状態に確実にロックすることができる。このため、電子機器を手に持った状態で使用する際に、支持部が開く事態を確実に防止することができる。また、支持部がロックされている状態においてスライド部が下方向にスライドさせられたときにロック部による支持部のロックが解除されるため、スライド部のスライドと支持部のロック解除とを１つの動作で行うことができる。
【発明を実施するための最良の形態】
【００１８】
以下、本発明に係る電子機器の最良の形態について、添付図面を参照して説明する。
【００１９】
最初に、本発明に係る電子機器を適用した測定装置１の構成について、図面を参照して説明する。
【００２０】
図１，２に示す測定装置１は、本発明に係る電子機器の一例であって、本体部２、スライド部３（図１１参照）およびスタンド４を備えて構成されている。また、測定装置１は、携帯型の測定装置であって、手に持った状態での使用に適した大きさに構成されている。また、測定装置１は、スライド部３およびスタンド４を用いることで、本体部２を所定の角度で傾斜させた状態で机や床に載置可能に構成されている。この場合、この測定装置１では、載置面に対する本体部２の傾斜角度を、第１傾斜角度（一例として、約４５゜）と第１傾斜角度よりも大きい第２傾斜角度（一例として、約６０゜）の２段階に切り替えることが可能となっている。
【００２１】
本体部２は、図外の測定部、表示部１１および操作部１２（いずれも図１参照）を備えて構成されて、操作部１２を用いた操作に従い、外部から入力した測定対象信号の電気的パラメータを測定すると共に、その測定結果を表示部１１に表示する。この場合、本体部２は、全体として略直方体に形成されて、測定部が内部に収容されると共に、表示部１１および操作部１２が正面パネル１３に配設されて構成されている。また、図３，１１に示すように、本体部２の背面１４側には、スライド部３がスライド可能に配設される略矩形の凹部２１が形成されると共に、バッテリーが収容されたバッテリー収容部１５を覆うカバー１６が取り付けられている。また、図３に示すように、本体部２の凹部２１を構成する側壁２２ａには、嵌合部２３ａ〜２３ｄ（以下、区別しないときには「嵌合部２３」ともいう）が形成され、側壁２２ｂには、嵌合部２３ａ〜２３ｄと面対称となるように嵌合部２４ａ〜２４ｄ（以下、区別しないときには「嵌合部２４」ともいう）が形成されている。この場合、嵌合部２３ａ〜２３ｄおよび嵌合部２４ａ〜２４ｄは、この順で互いに対向するように各々の配設位置が規定されている。
【００２２】
ここで、この嵌合部２３，２４は、本発明における第１嵌合部に相当し、スライド部３の嵌合部３６ａ，３６ｂ，３７ａ，３７ｂ（本発明における第２嵌合部に相当する：図４参照）と互いに嵌合することで、本体部２における上下方向（図１に示す傾斜状態の本体部２における上部側の位置と下部側の位置との間の方向）へのスライド部３のスライドを規制する機能を有している。さらに、凹部２１を構成する底面２２ｃには、スライド部３のスリット３１（図４参照）に挿入される突起部２５ａ，２５ｂと、スライド部３のスリット３２（同図参照）に挿入される突起部２６ａ，２６ｂとが形成されている。また、底面２２ｃには、スタンド４の凸部４２（図５参照）が挿入可能な凹部２７ａ，２７ｂ（本発明における孔または凹部の一例）が形成されている。この場合、凹部２７ａ，２７ｂは、嵌合部２３，２４によってスライド部３のスライドが規制される２箇所の位置においてスタンド４が回動させられたときに、凸部４２が挿入可能な位置にその形成位置がそれぞれ規定されている。なお、凹部２７ａ，２７ｂに代えて、凸部４２が挿入可能な孔を底面２２ｃに形成する構成を採用することもできる。
【００２３】
スライド部３は、本発明における支持部に相当し、図４に示すように、その本体部分が全体として略矩形の板状に形成されている。この場合、スライド部３は、その横幅が本体部２における凹部２１の横幅よりもやや狭く規定されると共に、その長さが凹部２１の長さよりも短く規定されている。また、スライド部３には、本体部２の突起部２５ａ，２５ｂを挿入させるスリット３１、および本体部２の突起部２６ａ，２６ｂを挿入させるスリット３２が本体部２に配設された状態における本体部２の上下方向に沿って形成されている。また、本体部２に配設された状態において本体部２の上部側に位置するスライド部３の一端部（以下、「上端部」ともいう）には、スタンド４の一端部を保持する一対の保持用爪部３３，３３が形成され、上端部の両隅部には、スタンド４の軸部４１（図５参照）が挿入可能な一対の軸受け部３４，３４が例えば樹脂を用いた射出成形などによって本体部分に一体形成されている。さらに、スライド部３の下端部には、ロック用爪部３５（図７も参照）が形成されている。また、スライド部３の一方の側面３ａには、本体部２の嵌合部２３に嵌合する嵌合部３６ａ，３６ｂが形成され、他方の側面３ｂには、本体部２の嵌合部２４に嵌合する嵌合部３７ａ，３７ｂが形成されている。
【００２４】
スタンド４は、図５に示すように、スライド部３に連結された状態（図６も参照）においてスライド部３の上端部側に対向する一端部（本発明における軸受け部に対向する一端部：以下、「上端部」ともいう）側の横幅が他端部（以下、「下端部」ともいう）側の横幅よりもやや狭い全体として略矩形の板状にその本体部分が形成されている。また、スタンド４は、下端部側の横幅がスライド部３の横幅とほぼ同じ幅に規定されると共に、その長さがスライド部３の長さよりも長くかつ本体部２における凹部２１の長さととほぼ同じ長さに規定されている。また、スタンド４は、図１０に示すように、下端部側の両隅部が丸みを帯びた平面視形状に形成されると共に、下端部の端面と裏面（同図において本体部２の底面２２ｃに対向する面）との角部が丸められている（面取りされている）。
【００２５】
また、図５に示すように、スタンド４における上端部の両隅部には、一対の軸部４１，４１が例えば樹脂を用いた射出成形などによって本体部分に一体形成されている。この場合、軸部４１は、図６に示すように、スライド部３の軸受け部３４に回動可能に挿入されることにより、スライド部３の背面（同図における紙面手前側の面）と対向しつつ接離する方向で回動可能にスタンド４とスライド部３とを連結する。さらに、スタンド４における上端部の中央部には、本体部２の凹部２７ａ，２７ｂに挿入される凸部４２が、上端部から所定の角度で傾斜して突出形成されている。ここで、凸部４２が傾斜しているため、図１１，１２に示すように、凸部４２が凹部２７ａ，２７ｂに挿入された状態では、スタンド４がスライド部３に対して所定の角度で傾斜する。この場合、スライド部３に対するスタンド４の傾斜角度は、凸部４２が凹部２７ａに挿入された状態で測定装置１を机等に載置したときの載置面に対する本体部２の傾斜角度が約４５゜となり、かつ凸部４２が凹部２７ｂに挿入された状態で測定装置１を机等に載置したときの載置面に対する本体部２の傾斜角度が約６０゜となるように規定されている。
【００２６】
また、図５に示すように、スタンド４の下端部側には、ロック用嵌合部４３（図８も参照）が形成されている。この場合、ロック用嵌合部４３は、スライド部３のロック用爪部３５と共に本発明におけるロック部を構成し、図２，９に示すように、スタンド４がスライド部３側に折り畳まれた状態（両者が互いに対向した状態）においてロック用爪部３５と嵌合してスタンド４を回動不可状態にロックする切り欠き部４３ａと、切り欠き部４３ａとロック用爪部３５との嵌合を解除させるための摘み４３ｂとを備えている。また、ロック用嵌合部４３は、図１０に示すように、折り畳まれた状態のスタンド４がスライド部３と共に本体部２の下端部側（同図では紙面の手前側）にスライドさせられたときに、本体部２に取り付けられているカバー１６の縁部にスタンド４の下端部の縁部が乗り上げるようにしてスタンド４がスライド部３から離間させられることで、切り欠き部４３ａとロック用爪部３５との嵌合が解除されるように構成されている。
【００２７】
次に、測定装置１の使用方法について、図面を参照して説明する。なお、初期状態において、例えば図１２に示すように、スライド部３が本体部２の中央部に位置し、スタンド４がスライド部３に対して傾斜している（開いている）ものとする。
【００２８】
この測定装置１では、上記したように、手に持った状態での使用と、机や床に載置した状態での使用とが可能となっている。この場合、例えば測定装置１を手に持って使用するときには、スタンド４の下端部をスライド部３側に押し下げる。この際に、図６に示すように、スライド部３の保持用爪部３３によって保持されているスタンド４の上端部、およびスライド部３の軸受け部３４に挿入されている軸部４１を中心として、スタンド４がスムーズに回動させられて、スタンド４がスライド部３側に折り畳まれる。次いで、図２に示すように、スライド部３をスタンド４と共に本体部２の上端部側に向けてスライドさせる。この際に、スライド部３のスリット３１に本体部２の突起部２５ａ，２５ｂが挿入されると共に、スライド部３のスリット３２に本体部２の突起部２６ａ，２６ｂが挿入されているため、本体部２から外れることなく本体部２の凹部２１内でその上下方向に沿ってスライド部３が確実かつスムーズにスライドさせられる。
【００２９】
続いて、スライド部３の上端部が本体部２の上端部側の所定位置までスライドさせられたときには、本体部２の嵌合部２３ａ，２３ｂにスライド部３の嵌合部３６ａ，３６ｂがそれぞれ嵌合すると共に、本体部２の嵌合部２４ａ，２４ｂにスライド部３の嵌合部３７ａ，３７ｂがそれぞれ嵌合することにより、上下方向へのスライド部３のスライドが確実に規制される。次いで、スタンド４の下端部をスライド部３側にさらに押し下げる。この際に、図９に示すように、スタンド４におけるロック用嵌合部４３の切り欠き部４３ａとスライド部３のロック用爪部３５とが互いに嵌合して、スタンド４が回動不可状態に確実にロックされる。これにより、測定装置１が、手に持った状態での使用に適した形態（以下、この形態を「第１の形態」ともいう）となる。
【００３０】
次に、例えば、入力信号の電気的パラメータ（一例として電圧）を測定するときには、操作部１２を操作して、測定条件を設定した後に、測定部に測定を開始させる。この際に、測定部が入力信号をサンプリングして電圧についての測定データを出力し、表示部１１が、表示処理を実行することによって測定データに基づく測定値を表示する。
【００３１】
一方、この測定装置１では、上記したように、机や床に載置する際に、載置面に対する本体部２の傾斜角度を、第１傾斜角度、および第１傾斜角度よりも大きい第２傾斜角度の２段階に切り替えることが可能となっている。この場合、測定装置１を、例えば、上記した第１の形態から、載置面に対して本体部２を第１傾斜角度に傾斜させる形態（以下、この形態を「第２の形態」ともいう）に変更するときには、ロック用嵌合部４３の摘み４３ｂを引き上げることによって切り欠き部４３ａとロック用爪部３５との嵌合を解除させて、図１１に示すように、スタンド４の下端部を引き上げる。この際に、スタンド４の上端部および軸部４１を中心としてスタンド４がスムーズに回動させられる。また、スタンド４が回動させられることで、スタンド４の凸部４２が本体部２の凹部２７ａに挿入される。これにより、スタンド４がスライド部３に対して所定の角度で傾斜した状態に維持されて、測定装置１が、第２の形態に変更される。次いで、本体部２の下端部とスタンド４の下端部とを下側にして、測定装置１を机等に載置する。この場合、スタンド４の凸部４２を本体部２の凹部２７ａに挿入したことで、スタンド４がスライド部３に対して所定の角度で傾斜した状態に確実に維持されているため、本体部２は、第１傾斜角度（この場合、約４５゜）で傾斜するようにスタンド４によって確実に支持される。
【００３２】
一方、測定装置１を、上記した第２の形態から、載置面に対して本体部２を第２傾斜角度に傾斜させる形態（以下、この形態を「第３の形態」ともいう）に変更するときには、スタンド４の下端部をスライド部３側に押し下げる。この際に、スタンド４の上端部および軸部４１を中心としてスタンド４がスムーズに回動させられる。また、スタンド４が回動させられることで、本体部２の凹部２７ａに挿入されていたスタンド４の凸部４２が凹部２７ａから引き抜かれる。次いで、スタンド４の下端部をスライド部３側にさらに押し下げることにより、スタンド４におけるロック用嵌合部４３の切り欠き部４３ａとスライド部３のロック用爪部３５とを互いに嵌合させて、スタンド４をロックする。これにより、スタンド４がスライド部３側に折り畳まれる。
【００３３】
続いて、スライド部３をスタンド４と共に本体部２の下端部側に向けてスライドさせる。この際に、図１０に示すように、スタンド４のスライドに伴い、スタンド４の下端部の縁部がカバー１６の縁部に乗り上げるようにしてスタンド４がスライド部３から離間させられることで、スタンド４におけるロック用嵌合部４３の切り欠き部４３ａとスライド部３のロック用爪部３５との嵌合が解除される。この場合、スタンド４の下端部の両隅部が丸みを帯び、かつ下端部の端面と裏面との角部が丸められているため、スタンド４の下端部の縁部がカバー１６の縁部にスムーズに乗り上げる結果、切り欠き部４３ａとロック用爪部３５との嵌合の解除が容易に行われる。なお、上記の例では、スタンド４をロックした（スタンド４を折り畳んだ）状態でスライド部３とスタンド４とを本体部２の下端部側に向けてスライドさせたが、スタンド４をロックすることなくスタンド４の凸部４２が本体部２の凹部２７ａから引き抜かれた段階で、スライド部３とスタンド４とを下端部側に向けてスライドさせてもよい。
【００３４】
次いで、スライド部３の下端部が本体部２の下端部側の所定位置までさらにスライドさせられたときには、本体部２の嵌合部２３ｃ，２３ｄにスライド部３の嵌合部３６ａ，３６ｂがそれぞれ嵌合すると共に、本体部２の嵌合部２４ｃ，２４ｄにスライド部３の嵌合部３７ａ，３７ｂがそれぞれ嵌合することにより、上下方向へのスライド部３のスライドが確実に規制される。続いて、図１２に示すように、スタンド４の下端部を引き上げる。この際に、スタンド４の上端部および軸部４１を中心としてスタンド４がスムーズに回動させられる。また、スタンド４が回動させられることで、スタンド４の凸部４２が本体部２の凹部２７ｂに挿入される。これにより、スタンド４がスライド部３に対して所定の角度で傾斜した状態に維持されて、測定装置１が、第３の形態に変更される。次いで、本体部２の下端部とスタンド４の下端部とを下側にして、測定装置１を机に載置する。この場合、スタンド４の凸部４２を本体部２の凹部２７ｂに挿入したことで、スタンド４がスライド部３に対して所定の角度で傾斜した状態に確実に維持されているため、本体部２は、第２傾斜角度（この場合、約６０゜）で傾斜するようにスタンド４によって確実に支持される。
【００３５】
このように、この測定装置１によれば、本体部２の上下方向に沿ってスライド可能に本体部２の背面１４側に配設されたスライド部３にスタンド４を回動可能に連結すると共に、スライド部３に対して対向しつつ傾斜した状態を維持可能にスタンド４を構成したことにより、載置面に対する傾斜角度が１つだけに限定される従来の携帯用試験器具とは異なり、本体部２の上下方向にスライド部３をスライドさせて、異なる位置でスタンド４をスライド部３に対して傾斜させることで、載置面に対する本体部２の傾斜角度を複数の傾斜角度に切り替えることができる。したがって、この測定装置１によれば、測定環境に応じて本体部２の傾斜角度を変更することで画面を見易くしたり、操作をし易くしたりすることができるため、測定作業の効率を十分に向上させることができる。また、スライド部３をスライドさせることで傾斜角度を複数の傾斜角度に切り替えることができるため、スライド部３を備えていない構成と比較して、スタンド４を短く形成したとしても、本体部２を載置面に対して大きな傾斜角度で傾斜させることができる。
【００３６】
また、この測定装置１によれば、本体部２の背面１４に突起部２５ａ，２５ｂ，２６ａ，２６ｂを配設すると共に、突起部２５ａ，２５ｂ，２６ａ，２６ｂの挿入が可能なスリット３１，３２を本体部２の上下方向に沿ってスライド部３に形成したことにより、本体部２からスライド部３を外れさせることなく、本体部２の凹部２１内でその上下方向に沿ってスライド部３を確実かつスムーズにスライドさせることができる。
【００３７】
また、この測定装置１によれば、スライド部３の上端部において軸受け部３４を本体部分に一体形成すると共に、軸受け部３４に回動可能に挿入される軸部４１をスタンド４の上端部において本体部分に一体形成して、軸受け部３４に軸部４１を挿入することによってスタンド４をスライド部３に連結したことにより、簡易な構成でありながら軸部４１を中心としてスタンド４をスムーズに回動させることができる。また、例えば、別体に形成した軸受けや軸部をインサート成形する構成と比較して、スライド部３およびスタンド４を容易に作製することができる。
【００３８】
また、この測定装置１によれば、本体部２の背面１４側に嵌合部２３，２４を形成すると共に、スライド部３に嵌合部３６ａ，３６ｂ，３７ａ，３７ｂを形成したことにより、嵌合部２３に嵌合部３６ａ，３６ｂを嵌合させると共に、嵌合部２４に嵌合部３７ａ，３７ｂを嵌合させることで、本体部２の上下方向における２箇所の位置においてスライド部３のスライドを確実に規制することができる。
【００３９】
また、この測定装置１によれば、本体部２に凹部２７ａ，２７ｂを形成すると共に、凹部２７ａ，２７ｂに挿入可能な凸部４２をスタンド４の上端部に形成したことにより、凹部２７ａ，２７ｂに凸部４２を挿入させることで、スタンド４をスライド部３に対して所定の角度で傾斜した状態に確実に維持することができる。このため、載置面に対して傾斜するように本体部２をスタンド４で確実に支持することができる。
【００４０】
また、この測定装置１によれば、スライド部３に対してスタンド４を回動不可状態にロックするロック用爪部３５およびロック用嵌合部４３をスライド部３およびスタンド４にそれぞれ形成したことにより、スタンド４をスライド部３側に折り畳んだ（両者を互いに対向させた）状態においてスタンド４を回動不可状態に確実にロックすることができる。このため、測定装置１を手に持った状態で使用する際に、スタンド４が開く事態を確実に防止することができる。また、スタンド４がロックされている状態においてスライド部３が下方向にスライドさせられたときにロック用爪部３５とロック用嵌合部４３との係合が解除されてスタンド４のロックが解除されるため、スライド部３のスライドとスタンド４のロック解除とを１つの動作で行うことができる。
【００４１】
なお、本発明は、上記の構成に限定されない。例えば、本体部２の傾斜角度を第１傾斜角度および第２傾斜角度の２段階に切り替え可能に構成した例について上記したが、嵌合部２３，２４をさらに増やすことで、本体部２の傾斜角度を３段階以上に切り替え可能に構成することもできる。また、スライド部３のスリット３１，３２に本体部２の突起部２５ａ，２５ｂ，２６ａ，２６ｂを挿入させることによって本体部２に対してスライド部３をスライドさせる構成例について上記したが、スライド部３に突起部を形成すると共に本体部２にスリットまたは溝を形成して、そのスリットまたは溝にスライド部３の突起部を挿入してスライド部３をスライドさせる構成を採用することもできる。さらに、スライド部３に軸受け３４を形成すると共にスタンド４に軸部４１を形成した構成例について上記したが、スライド部３に軸部を形成すると共にスタンド４に軸受けを形成する構成を採用することもできる。また、本発明に係る電子機器を測定装置１に適用した例について上記したが、これに限らず、薄形テレビを初めとする各種ディスプレイ装置、パーソナルコンピュータ、ゲーム機およびナビゲータなどの各種電子機器にも適用が可能である。
【図面の簡単な説明】
【００４２】
【図１】測定装置１を正面パネル１３側から見た斜視図である。
【図２】測定装置１を背面１４側から見た斜視図である。
【図３】本体部２の斜視図である。
【図４】スライド部３の斜視図である。
【図５】スタンド４の斜視図である。
【図６】連結状態のスライド部３およびスタンド４の斜視図である。
【図７】ロック用爪部３５の斜視図である。
【図８】ロック用嵌合部４３の斜視図である。
【図９】嵌合状態のロック用爪部３５およびロック用嵌合部４３の斜視図である。
【図１０】スライド部３をスライドさせる際のスタンド４の動作を説明するため測定装置１の斜視図である。
【図１１】第２の形態に変更した状態の測定装置１の斜視図である。
【図１２】第３の形態に変更した状態の測定装置１の斜視図である。
【符号の説明】
【００４３】
１  測定装置
２  本体部
３  スライド部
４  スタンド
１４  背面
２３ａ〜２３ｄ，２４ａ〜２４ｄ，３６ａ，３６ｂ，３７ａ，３７ｂ  嵌合部
２５ａ，２５ｂ，２６ａ，２６ｂ  突起部
２７ａ，２７ｂ  凹部
３１，３２  スリット
３４  軸受け部
３５  ロック用爪部
４１  軸部
４２  凸部
４３  ロック用嵌合部
【図１】
2007121184.tif 000003
【図２】
2007121184.tif 000004
【図３】
2007121184.tif 000005
【図４】
2007121184.tif 000006
【図５】
2007121184.tif 000007
【図６】
2007121184.tif 000008
【図７】
2007121184.tif 000009
【図８】
2007121184.tif 000010
【図９】
2007121184.tif 000011
【図１０】
2007121184.tif 000012
【図１１】
2007121184.tif 000013
【図１２】
2007121184.tif 000014